(57)【特許請求の範囲】
【請求項１】
鍋を加熱する加熱手段と、前記加熱手段への燃焼量を制御する加熱制御手段と、点火消火等の操作信号を入力する操作手段と、前記鍋の温度を検知する温度検知手段と、前記温度検知手段の短絡、断線状態および鍋内の被調理物が過熱状態となり火災の危険が生じる危険温度より所定値低い温度に達したことを検知する異常検知手段と、前記操作手段、温度検知手段及び異常検知手段からの信号により前記加熱制御手段を制御するＬＳＩを主体に構成された電子制御手段とを備え、前記電子制御手段は、ＬＳＩに接続された機種検知用接続抵抗と前記機種検知用接続抵抗に対応した出力に接続された加熱制御出力用接続抵抗よりなる機種切り換え手段により、前記異常検知手段の異常温度判定値の切り換えを行うとともに、切り換えられた異常温度判定値に対応した出力側より前記加熱制御手段に信号を供給するようにした調理器。
【請求項２】
機種切り換え手段は、機種検知用接続抵抗または加熱制御出力用接続抵抗の少なくとも一方にディップスイッチによる切り換え手段を備えた請求項１記載の調理器。
【発明の詳細な説明】
【０００１】
【発明の属する技術分野】
本発明は、複数の入出力接続抵抗の接続の違いより機種の検知を行う様にした調理器の制御手段に関するものである。
【０００２】
【従来の技術】
図４は従来の電子制御手段である。図４に於いて、電子制御手段１内に機種検知用接続抵抗７ａまたは７ｂを実装し、この機種検知用接続抵抗７ａまたは７ｂの選択により異常温度判断値等の異なる異種の電子制御手段１に切り換えることができる構成となっている。
【０００３】
【発明が解決しようとする課題】
しかしながら、上記のような従来の構成では、例えば、機種検知用接続抵抗７ａが取り付けられた機種Ａ仕様の電子制御手段、機種検知用接続抵抗７ｂが取り付けられた機種Ｂ仕様の電子制御手段とし、機種Ａ仕様と機種Ｂ仕様では、例えば被調理物が油物の調理の場合に、この被調理物が過熱状態となり火災の危険が生じる危険温度より所定値低い温度に達したことを検知する異常検知手段５の異常温度判断値が機種Ａ仕様より機種Ｂ仕様の方が高く設定されていた場合には、機種Ａ仕様を使用時に機種検知接続抵抗７ａが何らかの理由で破壊した場合に異常温度判断値が機種Ｂ仕様に変わってしまい火災の危険が生じてしまうという怖れがあった。
【０００４】
そこで、本発明は、かかる従来の課題を解消するもので、電子制御手段の１部品の不具合により機種が誤検知した時の火災の危険を防止することを目的とする。
【０００５】
【課題を解決するための手段】
上記目的を達成するために、本発明の第１の手段は、鍋を加熱する加熱手段と、前記加熱手段への燃焼量を制御する加熱制御手段と、点火消火等の操作信号を入力する操作手段と、前記鍋の温度を検知する温度検知手段と、前記温度検知手段の短絡、断線状態および鍋内の被調理物が過熱状態となり火災の危険が生じる危険温度より所定値低い温度に達したことを検知する異常検知手段と、前記操作手段、温度検知手段及び異常検知手段からの信号により前記加熱制御手段を制御するＬＳＩを主体に構成された電子制御手段とを備え、前記電子制御手段は、ＬＳＩに接続された機種検知用接続抵抗と前記機種検知用接続抵抗に対応した出力に接続された加熱制御出力用接続抵抗よりなる機種切り換え手段により、前記異常検知手段の異常温度判定値の切り換えを行うとともに、切り換えられた異常温度判定値に対応した出力側より前記加熱制御手段に信号を供給するようにしたものである。
【０００６】
また本発明の第２の手段は、機種切り換え手段の機種検知用接続抵抗または加熱制御出力用接続抵抗の少なくとも一方にディップスイッチによる切り換え手段を備えているものである。
【０００７】
【発明の実施の形態】
本発明は、上記した第１の手段によれば、機種検知用接続抵抗に対応した出力側に接続された加熱制御用接続抵抗を介して加熱制御手段に信号を供給する構成としているため、取り付けられた機種検知用接続抵抗が破壊し電子制御手段の機種仕様が切り換わり、鍋内の被調理物が過熱状態となり火災の危険が生じる危険温度より所定値低い温度に達したことを検知する異常検知手段の異常温度判定値が他の機種の異常温度判定値に切り換わっても、ＬＳＩから加熱制御手段への加熱制御用接続抵抗が取り付けられていないので加熱制御手段への出力が絶たれ加熱制御手段が動作しなくなり、被調理物を加熱する事ができなくなる。
【０００８】
また、第２の手段によれば、ディップスイッチ等を備えることにより電子制御手段の機種の切り換えが容易に行えるので電子制御手段の共用化を図る事ができる。
【０００９】
以下本発明の一実施例について、図面を参照しながら説明する。図１は本発明の調理器の電子制御手段の概略図、図３は同調理器の斜視図である。図１において、電子制御手段１は燃焼量を制御する加熱制御手段２と鍋３の底部の温度を検知し、その検知信号を電子制御手段１に入力する温度検知手段４、温度検知手段４の短絡、断線状態および被調理物が油物の調理の場合に、この被調理物が過熱状態となり火災の危険が生じる危険温度より所定値低い温度に達したことを検知する異常検知手段５と、異常検知手段５の異常温度判断値の異なったことをＬＳＩ１０が検知し加熱制御手段２への出力を切り換える機種切り換え手段６とを有し、機種切り換え手段６には機種検知用接続抵抗７ａ・７ｂ、加熱制御出力用接続抵抗８ａ・８ｂを備え、機種検知用接続抵抗７ａまたは７ｂの取付により機種の区別をし、その機種毎に加熱制御出力用接続抵抗８ａまたは８ｂを取り付ける構成である。
【００１０】
この構成で例えば機種検知用接続抵抗７ａを取り付けた時には、加熱制御出力用接続抵抗８ａを取り付けた機種Ａ仕様の異常検知手段５の異常温度判断値が２００℃設定、機種検知抵抗７ｂを取り付けた時には、加熱制御出力用抵抗８ｂを取り付けた機種Ｂ仕様の異常検知手段５の異常温度判断値が２５０℃設定であった場合に、機種Ａ仕様で使用時に何らかの要因で機種検知用接続抵抗７ａが破壊し、ＬＳＩ１０による機種検知が不安定になり異常検知手段５の異常温度判断値が２００℃設定の機種Ａ仕様が異常検知手段５の異常温度判断値２５０℃設定の機種Ｂ仕様と誤って判断された場合には、加熱制御手段２へ出力を接続する加熱制御出力接続抵抗８ｂが接続されていないので加熱制御手段２への出力が絶たれ加熱制御手段２は動作せず、被調理物を加熱する事ができないので被調理物が過熱状態となることは解消される。
【００１１】
図２は他の実施例で、電子制御手段１は燃焼量を制御する加熱制御手段２と鍋３の温度を検知し、その検知信号を電子制御手段１に入力する温度検知手段４の短絡、断線状態および被調理物が油物の調理の場合に、この被調理物が過熱状態となり火災の危険が生じる危険温度より所定値低い温度に達したことを検知する異常検知手段５と、異常検知手段５の検知温度の異なった電子制御手段に切り換わったかを検知し加熱制御手段２への出力を切り換える機種切り換え手段６とを有し、機種切り換え手段６には機種検知用接続抵抗７ａ・７ｂ、加熱制御出力用接続抵抗８ａ・８ｂとを切り換えるスイッチ９ａ・９ｂを備え、機種に応じて機種検知抵抗７ａ・７ｂおよび加熱制御出力用接続抵抗８ａ・８ｂを切り換えるスイッチ９ａ・９ｂを備えた構成であり、機種の切り換えが容易に行える。
【００１２】
【発明の効果】
以上の説明から本発明による調理器では、機種検知抵抗が破壊し電子制御手段の機種仕様が切り換わり、被調理物が油物の調理の場合に、この被調理物が過熱状態となり火災の危険が生じる危険温度より所定値低い温度に達したことを検知する異常検知手段の異常温度判断値が他機種の異常温度判断値に切り換わっても、加熱制御手段への出力が絶たれ加熱制御手段が動作しなくなり、加熱する事ができなくなり、被調理物が油物の調理の場合に、過熱状態となり火災の危険が生じることを防止することができる。
【００１３】
また、本発明では、ディップスイッチを備えることにより電子制御手段の機種の切り換えが容易に行えるので電子制御手段の共用化を図ることができる。
【図面の簡単な説明】
【図１】本発明の調理器の一実施例を示す電子制御手段を示す概念図
【図２】本発明の調理器の他の実施例を示す電子制御手段を示す概念図
【図３】本発明の調理器の斜視図
【図４】従来の電子制御手段を示す概念図
【符号の説明】
１  電子制御手段
２  加熱制御手段
３  鍋
４  温度検知手段
５  異常検知手段
６  機種切り換え手段
７ａ、７ｂ  機種検知用接続抵抗
８ａ、８ｂ  加熱制御出力用接続抵抗
９ａ、９ｂ  切り換えスイッチ
１０  ＬＳＩ
１１  加熱手段
１２  操作手段
【図１】
0003692570.tif 000002
【図２】
0003692570.tif 000003
【図３】
0003692570.tif 000004
【図４】
0003692570.tif 000005